(57)【特許請求の範囲】
【請求項１】
建物の軸組の室内側に取付けられる金属製内壁枠のうち、前記軸組に引き違い戸または引き違い窓等を設けるための開口部を有する開口部枠を形成する際に、前記開口部を形成する水平部材である横桟に垂直部材である縦枠を取付ける縦枠取付け金具において、前記縦枠の端部の周囲に嵌め込む断面略コ字型の嵌め込み部と、該嵌め込み部の両側片と同じ側の側縁に形成されて、前記横桟に固定するための取付け片を有し、かつ前記両側片のいずれか一方の開口側の端縁に、前記縦枠の周囲を塞ぐ蓋片を備えていることを特徴とする縦枠取付け金具。
【発明の詳細な説明】
【０００１】
【発明の属する技術分野】
この発明は、鉄骨による軸組に壁面パネル等を嵌め込んで施工するプレハブ住宅等の軸組の室内側に取付けられる金属製内壁枠のうち、前記軸組に引き違い戸または引き違い窓等を設けるための開口部を有する開口部枠について、前記開口部を形成する水平部材である横桟に垂直部材である縦枠を容易に取付けることができる縦枠取付け金具に関する。
【０００２】
【従来の技術】
金属製内壁枠自体が新しい構成であるため、該金属製内壁枠のうち、建物の軸組に引き違いまたは引き違い窓等を設けるための開口部を有する開口部枠について、前記開口部を形成する水平部材である横桟に垂直部材である縦枠を容易に取付ける手順に関して好適な従来の技術は存在しなかった。
【０００３】
しかしながら、従来、鉄骨による軸組に壁面パネルなどを嵌め込んで施工するプレハブ住宅等においては、壁の内部に設けられる断熱材や防湿シートなどの施工を簡略化するために、図９に示すように、あらかじめそれらを一体的に組み込んでパネル状とした木製内壁枠３２が使用されていた。このとき、引き違い戸または引き違い窓を設けるための開口部を有する木製内壁枠３２は、枠体３３の両端部に下地床から前記軸組の水平部材まで所定の長さを有する縦枠３４をあてがい、釘などの固定具３１により固定され、形成されていた。
【０００４】
しかしながら、前述のような木製内壁枠３２を用いた従来の方法では、枠体３３に対する縦枠３４の固定は、直接釘などの固定具３１を打つ必要があるので、作業に手間がかかり、かつ、作業が煩雑になるという問題点があった。
【０００５】
【発明が解決しようとする課題】
本発明は、前記の点に鑑みてなされたものであり、鉄骨による軸組に壁面パネル等を嵌め込んで施工するプレハブ住宅等の軸組の室内側に設けられる内壁枠について、金属製内壁枠を用いる際に、前記軸組に引き違い戸または引き違い窓等を設けるための開口部を有する開口部枠を容易に形成することができるようにするための縦枠取付け金具を提供することを目的とするものである。
【０００６】
【課題を解決するための手段】
請求項１に記載の縦枠取付け金具は、建物の軸組の室内側に取付けられる金属製内壁枠のうち、前記軸組に引き違い戸または引き違い窓等を設けるための開口部を有する開口部枠を形成する際に、前記開口部を形成する水平部材である横桟に垂直部材である縦枠を取付ける縦枠取付け金具において、前記縦枠の端部の周囲に嵌め込む断面略コ字型の嵌め込み部と、該嵌め込み部の両側片と同じ側の側縁に形成されて、前記横桟に固定するための取付け片を有し、かつ前記両側片のいずれか一方の開口側の端縁に、前記縦枠の周囲を塞ぐ蓋片を備えていることを特徴とするものである。
【０００７】
【発明の実施の形態】
本発明の実施形態に係る縦枠取付け金具は、建物の軸組の室内側に取付けられる金属製内壁枠のうち、前記軸組に引き違い戸または引き違い窓等を設けるための開口部を有する開口部枠を容易に形成するためのものである。
以下、前記縦枠取付け金具について説明する。
【０００８】
前記縦枠取付け金具１は、図１および図２に示すように、全体が金属製の薄板からなり、縦枠の端部の周囲に嵌め込む断面略コ字型の嵌め込み部２と、該嵌め込み部２の両側片３と同じ側の側縁に形成されて、前記開口部の横桟に固定するための取付け片４を有し、かつ前記両側片３のいずれか一方の開口側の端縁に、前記縦枠の周囲を塞ぐ蓋片５を備えている。
【０００９】
前記嵌め込み部２は、前記縦枠の端部の周囲を嵌め込む断面が略コ字型であって、前記横桟の端縁と略直線を形成するように取付けられる外側片６と該外側片６の両端から前記縦枠の端部の両側面に沿うように形成された両側片３すなわち第１側片７と第２側片８とを備えており、その第１側片７と第２側片８との距離すなわち外側片６の幅、および第１側片７および第２側片８の幅は前記縦枠の外形に沿う長さを有している。また、両側片３の側縁には取付け片４が形成され、かつ前記両側片３の中央部分には、ビス等の固定具により前記縦枠を取付けるための取付け孔９が設けられている。なお、該取付け孔９の位置および個数は、好適に前記縦枠を取付けることができれば、これに限定されるものではない。
【００１０】
前記取付け片４は、前記嵌め込み部２の両側片３の側縁に形成された延出部分を前記嵌め込み部２の内側に直角に折り曲げて形成されている。また、前記取付け片４には、前記縦枠取付け金具１を前記横桟に取付けるための取付け孔１０が設けられている。なお、前記取付け片４の形状または前記取付け孔１０の個数は、好適に前記横枠に取付けることができる形状を有していれば、これに限定されるものではない。
【００１１】
前記蓋片５は、前記両側片３のいずれか一方の開口側の端縁に、前記縦枠の周囲を塞ぐために備えられており、前記蓋片５の前記開口側の端縁との接続部分の両端には、容易に前記蓋片５を折り曲げることができるように切欠き１１が形成され、かつ本実施形態においては、前記第１側片７と所定の角度をなすように設けられている。また、前記蓋片５には、取付け孔１２が設けられており、前記縦枠の端部を前記嵌め込み部２に嵌挿させ、前記蓋片５を前記縦枠の周囲の沿い、その端部が前記両側片の他方の端縁すなわち本実施形態において前記第２側片８の開口側の端縁に到達するまで折り曲げた後、ビス等の固定具を前記取付け孔１２に嵌挿させ、前記嵌め込み部２に取付ける。なお、前記取付け孔１２の位置および個数は、好適に前記縦枠を取付けることができれば、これに限定されるものではない。
【００１２】
つぎに、縦枠取付け金具１を用いた引き違い戸または引き違い窓を設けるための開口部を有する開口部枠について図面に基づいて説明する。
【００１３】
鉄骨による軸組に壁面パネル等を嵌め込んで施工するプレハブ住宅等の軸組の室内側に取付けられる金属製内壁枠は、あらかじめ断熱材や防湿材などを一体的に組み込んでパネル状とし、それを前記軸組の室内側に設けることにより、前記断熱材や防湿材を前記軸組の内部へ施工する手間を簡略化するものであり、前記金属製内壁枠のうち、前記軸組に引き違い戸または引き違い窓等を設けるためのの開口部を要する際には、前記開口部枠が用いられている。
【００１４】
前記開口部枠１３は、図３および図４に示すように、垂直部材である縦桟１４と、水平部材である横枠１５と横桟１６とによって、外形が略長方形となるように形成された外枠１７と、その内側において前記縦桟１４と前記横枠１５および横桟１６とにより囲まれた内部に設けられた内部断熱材１８と、前記外枠１７の室外側面に設けられた裏面断熱材１９と、前記外枠１７の室内側面全体を覆うように貼り付けられた防湿シート２０とを有して構成される枠体２１と、前記横枠１５と、該横枠１５の長さ方向両端部に、前記縦枠取付け金具１を介して取付けられる縦枠２２とによって外形が略長方形となるように形成された開口部２３とによって形成されている。
【００１５】
このとき、前記開口部枠１３の外形寸法は、図５に示すように、前記開口部枠１３が設置される下地床２４から軸組２５の水平部材２６までの高さ、および前記軸組２５の垂直部材２７の配置間隔におおよそ合致するように形成されている。
【００１６】
前記内部断熱材１８は、袋体内にグラスウール、ロックウール等の断熱材料が収容されて構成されたものでありその外形は、前記縦桟１４と横枠１５および横桟１６とにより囲まれた内部と略同一形状の略長方形となるように形成されている。
その取付けは、前記縦桟１４と横枠１５および横桟１６とにより囲まれた内部に嵌め込まれるとともに、前記裏面断熱材１９および防湿シート２０により両側から挟まれることによりおこなわれる。
【００１７】
前記裏面断熱材１９は、前記内部断熱材１８と同様に、袋体内にグラスウール、ロックウール等の断熱材料が収容されて構成されたものであり、その外形は、前記外枠１７の外形と略同一形状の略長方形となるように形成されている。
その取付けは、前記裏面断熱材１９を前記外枠１７のいずれか一方の側面に重ねあわせるように配置し、前記裏面断熱材１９の上から図外のプラスチック板等の当て板を介して、図外の釘やステープル等の固定具を打ち込んで前記縦桟１４と横枠１５および横桟１６とに固定することによりおこなわれる。
【００１８】
また、前記防湿シート２０は、薄いポリエチレンシートなどで構成されたものであり、その外形は、前記外枠１７の外形と略同一形状の略長方形となるように形成されている。
その取付けは、前記防湿シート２０を前記外枠１７に固定されている裏面断熱材１９の反対側面に両面テープ等により貼付けられることによりおこなわれる。
【００１９】
そして、以上のように構成される前記開口部枠１３は、金属製内壁枠上部固定金具２８、金属製内壁枠中央固定金具２９および金属製内壁枠固定プレート３０等の固定具３１を介して前記軸組に取付けられる。
【００２０】
つぎに、縦枠取付け金具１を用いた開口部枠１３の組立手順について説明する。
【００２１】
前記開口部枠１３は、図３および図４に示すように、前記枠体２１の横桟１６の長さ方向両端部に取付けられた前記縦枠取付け金具１に前記縦枠２２を嵌挿し、ビス等の固定具３１により固定されることにより形成される。以下、更に詳細に説明する。
【００２２】
水平部材である断面略コ字型の横枠１５と横桟１６を、間隔を隔てて配置し、前記横枠１５と前記横桟１６の両端に、所定の長さに形成された断面略長方形の垂直部材である縦桟１４を配置し、その外形が略長方形となるように外枠１７を形成し、その内側において該外枠１７を補強するために前記縦桟１４を複数本設ける。そして、図外のネジ等の固定具を用いて、前記横枠１５および前記横桟１６と、前記縦桟１４とを固定する。
前記外枠１７と略同一形状の略長方形となるように形成された前記防湿シート２０を前記外枠１７のいずれか一方の側面全体を覆うように両面テープ等で貼付けた後、前記縦桟１４と横枠１５および横桟１６により囲まれた内側に前記内部断熱材１８を嵌め込む。そして、前記外枠１７の外形と略同一形状の略長方形となるように形成された前記裏面断熱材１９を、前記外枠１７の前記防湿シート２０を貼り付けた側面と反対側の側面に両面テープ等により貼付け、かつ前記裏面断熱材１９の上から前記縦桟１４に図外のプラスチック板を当て、図外のエアーステープル等の固定具を打ち込んで、前記外枠１７に取付ける。以上のようにして枠体２１を形成する。
【００２３】
つぎに縦枠取付け金具１を、図３、図５および図６に示すように、前記枠体２１の横桟１６の長さ方向両端部分に、前記縦枠取付け金具１の外側片６が、前記縦桟１４の側面と略直線を形成するように、前記縦枠取付け金具１の嵌め込み部２の両側片３の側縁に形成された延出部分を前記嵌め込み部２の内側に直角に折り曲げて形成されている取付け片４に備えられた取付け孔１０に、下方からビス等の固定具３１を挿通し、前記横桟１６に取付ける。このとき、本実施形態のおいては前記取付け片４に４個の取付け孔１０が形成されているので、前記横桟１６に好適に取付けることができる。
【００２４】
そして縦枠２２の端部を前記縦枠取付け金具１の嵌め込み部２に嵌挿させる。このとき、前記嵌め込み部２は、前記縦枠の端部の周囲を嵌め込む断面が略コ字型であって、前記横桟の端部と略一直線状となるように取付けられる外側片６と該外側片６の両端から前記縦枠の端部の両側面に沿うように形成された両側片３すなわち第１側片７と第２側片８とを備えている。また、前記第１側片７と第２側片８との距離すなわち外側片６の幅、および第１側片７および第２側片８の幅は前記縦枠の外形に沿う長さを有しているので、前記縦枠２２を前記嵌め込み部２に好適に嵌挿させることができる。また、かつ前記両側片３の中央部分には、ビス等の固定具３１により前記縦枠２２を取付けるための取付け孔９が設けられている。
前記縦枠２２を前記嵌め込み部２に嵌挿させた後、蓋片５を前記縦枠２２の周囲の沿い、その端部が前記両側片の他方の端縁に、すなわち本実施形態において前記第２側片８の開口側の端縁に到達するまで折り曲げる。このとき、前記蓋片５には、該蓋片５の前記開口側の端縁との接続部分の両端には切欠き１１が形成され、かつ本実施形態においては、前記第１側片７と所定の角度をなすように設けられているので、容易に前記蓋片５を折り曲げることができる。
前記蓋片５を折り曲げた後、前記両側片５および前記蓋片３に備えられている取付け孔９および取付け孔１２にそれぞれビス等の固定具３１を挿通し、前記縦枠２２を前記縦枠縦枠取付け金具１に取付け、開口部枠１３を形成する。
なお、建物の軸組に引き違い戸等の建具を取付ける際には、図８に示すように、前記枠体２１を一方にのみ設けるものとする。
【００２５】
以上のようにして形成された開口部枠１３を前記金属製内壁枠上部固定金具２８、金属製内壁枠中央固定金具２９および金属製内壁枠固定プレート３０等の固定具を用いて前記軸組２５に取付ける。
【００２６】
【発明の効果】
以上説明したように、請求項１に記載する縦枠取付け金具によれば、前記軸組に引き違い戸または引き違い窓等を設けるための開口部を有する開口部枠を形成する際に、前記開口部を形成する水平部材である横桟両端部に前記縦枠取付け金具を取付け、前記開口部を形成する垂直部材である縦枠の端部を前記縦枠取付け金具に嵌挿し、ビス等の固定具によって取付けることにより前記開口部枠を形成するので、木製内壁枠を用いた従来の方法のように、枠体に対する縦枠の固定に際して、直接釘などの固定具を打つ必要がなく、作業が容易であるという利点がある。
【図面の簡単な説明】
【図１】本発明に係る縦枠取付け金具を示す側面図
【図２】本発明に係る縦枠取付け金具を示す斜視図
【図３】開口部枠の組立構造を示す一部破断斜視図
【図４】開口部枠を示す一部破断斜視図
【図５】開口部枠の軸組への取付け構造を示す一部破断斜視図
【図６】縦枠の取付け構造を示す図３のＡ部分拡大図
【図７】縦枠の取付け構造を示す図４のＢ部分拡大図
【図８】引き違い戸等の建具を取付けるための開口部枠を示す一部破断斜視図
【図９】木製内壁枠の取付け構造を示す一部破断斜視図
【符号の説明】
１  縦枠取付け金具
２  嵌め込み部
３  両側片
４  取付け片
５  蓋片
１３  開口部枠
１６  横桟
２２  縦枠
２３  開口部
２５  軸組
【図１】
0003847034.tif 000002
【図２】
0003847034.tif 000003
【図３】
0003847034.tif 000004
【図４】
0003847034.tif 000005
【図５】
0003847034.tif 000006
【図６】
0003847034.tif 000007
【図７】
0003847034.tif 000008
【図８】
0003847034.tif 000009
【図９】
0003847034.tif 000010